(57)【要約】発明は、フレーム要素（１，２ａ−ｂ）と２つの透過層（３，３ａ−ｂ）とによって画定されるセルを有するフィルター（４ａ−ｂ）に関する。セルは、フィルター物質を含む。透過層（３，３ａ−ｂ）は、層がプレテンションされる仕方で、フレームに取り付けられ、それは、透過層が、明確に定められた形状になる傾向がある、および、層が負荷を受けると、プレテンションが形状の変化に抗するようにする。透過層（３，３ａ−ｂ）は、層が少なくとも１つの軸に沿ってプレテンションされる仕方で、フレームに取り付けられる。一実施形態では、透過層（３，３ａ−ｂ）は、層が、典型的に互いに直角に配置された少なくとも２つの軸に沿ってプレテンションされる仕方で、フレームに取り付けられる。【選択図】図３
2018537278.tif 000002
【特許請求の範囲】
【請求項１】
フィルター（４ａ−ｂ）であって、フレーム要素（１，２ａ−ｂ）と２つの透過層（３，３ａ−ｂ）とによって画定される少なくとも１つのセルを備え、少なくとも１つのセルは、フィルター物質を含み、
透過層（３，３ａ−ｂ）は、層がプレテンションされる仕方で、フレームに取り付けられていることを特徴とする、フィルター。
【請求項２】
請求項１に記載のフィルター（４ａ−ｂ）であって、透過層（３，３ａ−ｂ）は、層が少なくとも１つの軸に沿ってプレテンションされる仕方で、フレームに取り付けられていることを特徴とする、フィルター。
【請求項３】
請求項１または２に記載のフィルター（４ａ−ｂ）であって、透過層（３，３ａ−ｂ）は、層が少なくとも２つの軸に沿ってプレテンションされる仕方で、フレームに取り付けられていることを特徴とする、フィルター。
【請求項４】
請求項３に記載のフィルター（４ａ−ｂ）であって、透過層（３，３ａ−ｂ）は、層が少なくとも２つの軸に沿ってプレテンションされる仕方で、フレームに取り付けられており、軸が互いに直角に配置されることを特徴とする、フィルター。
【発明の詳細な説明】
【技術分野】
【０００１】
本発明は、独立請求項の導入部分に記載の耐変形フィルターに関する。
【背景技術】
【０００２】
フィルターは、ネットによって２つの側部で囲まれたフレーム状配置で典型的に構成され、フィルター物質が、フレームおよびネットによって形成された閉空間に保持される。その物質は、粒状形であることが多く、それは、振動および負荷を受けると固まり得る。ネットが振動に負けると、フィルター物質がないボイドが、フィルター内部に形成することがあり、物質によって濾過されるべきだった流体が、未濾過フィルターを通過することがある。
【発明の概要】
【発明が解決しようとする課題】
【０００３】
発明の目的は、それ故に、フィルター物質がないボイドがフィルターに形成するリスクを最小限に抑える耐変形フィルターを提供することである。
【０００４】
これらのおよび他の目的は、独立請求項の特徴部分に記載の耐変形フィルターによって達成される。
【課題を解決するための手段】
【０００５】
発明は、フレーム要素１，２ａ−ｂと２つの透過層３，３ａ−ｂとによって画定される少なくとも１つのセルを備えるフィルター４ａ−ｂに関する。少なくとも１つのセルは、フィルター物質を含む。透過層３，３ａ−ｂは、層がプレテンションされる仕方で、フレームに取り付けられ、それは、透過層が、明確に定められた形状になる傾向がある、および、層が負荷を受けると、プレテンションが形状の変化に抗する、という利点を有する。
【０００６】
透過層３，３ａ−ｂは、層が少なくとも１つの軸に沿ってプレテンションされる仕方で、フレームに取り付けられてよい。有利な実施形態では、透過層３，３ａ−ｂは、層が、典型的に互いに直角に配置された少なくとも２つの軸に沿ってプレテンションされる仕方で、フレームに取り付けられてよい。
【図面の簡単な説明】
【０００７】
【図１】プレテンションドネットがない前から見たフィルターを示す。
【図２】プレテンションドネットがない横から見たフィルターを示す。
【図３】前から見たプレテンションドネットを有するフィルターの第１実施形態を示す。
【図４】横から見たプレテンションドネットを有するフィルターの第１実施形態を示す。
【図５】横から見たプレテンションドネットを有するフィルターの第２実施形態を示す。
【発明を実施するための形態】
【０００８】
発明は、気体または液体の濾過に使用され得るフィルターに関するが、説明で念頭に置いている用途は、空気の濾過を対象としている。フィルターは、フィルター物質をその内部に含むフィルターカセットで構成され、フィルター物質は、活性炭によって典型的に構成されるが、それは、代替的に、例えば、ＨＥＰＡフィルターなどの布またはフェルト状形態のフィルター物質の粒状形の塩またはゼオライトによって構成されてよい。特に、粒状形のフィルター物質は、振動の影響下で共に沈むおよび体積を変化させることがあり、従って、フィルター物質は、共に沈まず、空気が未濾過で通るボイドを残さないように、所定位置に保持されることが、重要である。
【０００９】
図１は、プレテンションドネットがない前方から見たフィルター４ａを示す。フィルターは、７つの水平クロスバー１および２つのサイドバー２ａ−ｂのセットを有するフィルターカセットを備え、それは、フィルターセルのセットを有するフレームを共同で形成する。フレームの前側および後側には、ネット３ａ−ｂが配置され、ネットは、フレームと共に、フィルター物質を充填した６つの閉フィルターセルを形成する。使用時、フィルターは、像面にあるものが上方へ向かうように、典型的に直立配置され、使用時、垂直軸を構成する。
【００１０】
図２は、横から見たプレテンションドネット３ａ−ｂがない横から見たフィルター４ａを示し、それは、フィルター物質の重量がどのようにネットを外側へ膨らませるかを示す。膨らみは、原理を示すために、非常に誇張されているが、実際にはネットのいくらかのそのような膨らみが生じる。これは、フィルター物質に、下方におよびある程度の距離フィルターの中心面から外側へ沈む機会を与え、最悪の場合ボイドが各セルの上部で形成されるようになっている。このようにして、フィルターを通過する空気の一部は、そのようなボイドを流れ、未濾過フィルターを通過することがある。図は、ネットがどのようにフィルター物質自体の重量の結果として外側へ膨らむかを示すが、ネットは、自然発生的にランダムに分布した膨らみを形成させる内部応力を有することもよくあり、それは、対応する仕方で、フィルター物質が再分布する機会を残し、フィルター物質のセルボイドの部分を残す。
【００１１】
図３は、前から見たプレテンションドネットを有するフィルター４ａの第１実施形態を示し、ここで、矢印は、ネットのプレテンションを示し、ネットのプレテンションは、可能な限り平らな形状を得るおよびその形状を保つことを強いることを目的とする。矢印は、フィルターの上縁および下縁から、およびその側部から、向けられ、全ての矢印は、フィルターの上縁および下縁から、およびその側部から、それぞれ、直交角度で向けられる。矢印は、ネットのプレテンションが設定される力の向きを指し示す。
【００１２】
製造中、ネットは、従って、矢印が指し示す仕方でプレテンションされるように、プレテンションされ、それは、プレテンションされた状態でフレームに固定される。ネットは、フレームの多くの箇所で固定され、それは、別の方法として、フレームに接着されてよく、それが、図を見る人に向かうおよび図を見る人から離れる、それぞれ、上方および下方にさらされる上面および下面の全てに取り付けられるようになっている。このようにして、ネットは、全てのセルにわたって張力をかけられたままであり、ほぼ完全に平面の状態に押し付けられる。負荷を受けると、プレテンションは、さらに負荷に対抗するように作用し、ネットが、プレテンションがなければしたであろう程度に突出するのを防ぐ。プレテンションは、可動取付要素のセットを備えるプレテンション設定で実現されてよく、可動取付要素のセットは、矢印が示す方向にネットを弾性的に引っ張り、ネットは、ネットがフレームに最終的に固定されるまで、プレテンション設定によって張力がかかったままである。
【００１３】
図４は、横から見たプレテンションドネット３ａ−ｂを有するフィルター４ａの第１実施形態を示す。図は、この場合でもネットがどのように突出するかを示すが、図２の非プレテンション版でどのくらいそれが突出するかよりもかなり少ない。あらゆる程度の膨らみを完全に回避することは、当然可能ではないが、プレテンションにより、膨らみの程度はかなり減少し、図に示されている膨らみは、単に原理を示すよう意図されている極端な誇張である。
【００１４】
図５は、上側を向く側からわずかに角度がつけられた視点で見られたプレテンションドネット３を有するフィルター４の第２実施形態を示す。フィルターは、この場合、第１実施形態のように直方体として具体化されず、円筒状要素として具体化されている。要素は、比較的薄い壁を有し、厚さが、第１実施形態のものにほぼ相当し、この壁は、フィルター物質を含む。空気は、この壁を通ってシリンダの内部に送り込まれ、空気は、シリンダの内部から引き出される、または、別の方法として、シリンダの内部に押し込まれる。シリンダは、いずれかの開口で蓋が通常設けられ、向かい側の開口でポンプまたはファンに取り付けられるが、いずれも図示されていない。
【００１５】
図は、第１実施形態と同じ仕方で矢印によりプレテンションを示すが、矢印は、シリンダ頂部から上方におよびシリンダ底部から下方に延びるだけである。この実施形態では、プレテンションは、シリンダの中心軸に平行な方向にのみ存在する。プレテンションがシリンダの周囲に沿って存在したなら、それは、ネットをシリンダ中心軸に向かわせるように作用しただろう。それは、特定の状況下で許容され得る。１つの軸のみに沿う選択されたプレテンションは、ネットが可能な限りほとんど円筒状を形成するようにし、負荷を受けると、プレテンションは、この負荷に対抗するように作用する。
【００１６】
この場合も、可動取付要素のセットを備えるプレテンション設定を使用することは、当然適切であり、可動取付要素のセットは、上方および下方にネットを弾性的に引っ張り、ネットは、ネットが円筒状フレームに最終的に固定されるまで、プレテンション設定によって張力がかかったままであるようになっている。
【００１７】
示されている両方の実施形態で、フィルターカセットは、バーのセットとして記載されたが、明らかに、フィルターカセットは、本質的に同じ形状を実現する多くの他の仕方で具体化されてよい。フィルターは、明らかに、円筒状管としてまたは薄い直方体として以外の多くの他の仕方でも具体化されてよいが、これらの２つの実施形態は、一般的である。フィルターカセットがどのように設計されるか、およびフィルターがどの形状を有することになっているかに応じて、プレテンションは、対応する仕方で適用されなければならない。２つの例は、それぞれ、一方向に沿う、および互いに直角の方向に沿う、プレテンションを示す。明らかに、プレテンションは、ある種のプレテンションが存在する限り、多くの他の仕方で配置されてよい。ここでは表されたネットである要素は、プラスチックまたは金属ワイヤから作られたネットであることが多いが、それは、明らかに、通気性布状、ネット状または層状要素の多くの異なる種類に置き換えられることができる。
【図１】
2018537278.tif 000003
【図２】
2018537278.tif 000004
【図３】
2018537278.tif 000005
【図４】
2018537278.tif 000006
【図５】
2018537278.tif 000007
【国際調査報告】
2018537278.tif 000008
2018537278.tif 000009
2018537278.tif 000010